(57)【要約】【課題】妨害波がある場合でも受信する放送局の電波を十分に増幅可能にする受信装置、及びゲイン調整装置を提供することを課題とする。【解決手段】放送局から送信される電波を受信する受信装置１であって、アンテナが受信した電波の信号を増幅する増幅手段４Ａと、増幅手段４Ａで増幅された電波の信号のうち、受信対象の放送局の周波数を含む一定帯域幅の周波数の電波の信号が、既定の信号強度になるように増幅手段４Ａのゲインをフィードバック制御により調整するゲイン調整手段８と、を備え、ゲイン調整手段８は、フィードバック制御において信号強度を参照する電波の信号の帯域幅を、受信対象の放送局から送信される電波の受信状態に応じて変更する。【選択図】図１
2010147867.tif 000002
【特許請求の範囲】
【請求項１】
放送局から送信される電波を受信する受信装置であって、
アンテナが受信した電波の信号を増幅する増幅手段と、
前記増幅手段で増幅された電波の信号のうち、受信対象の放送局の周波数を含む一定帯域幅の周波数の電波の信号が、既定の信号強度になるように該増幅手段のゲインをフィードバック制御により調整するゲイン調整手段と、を備え、
前記ゲイン調整手段は、前記フィードバック制御において信号強度を参照する電波の信号の帯域幅を、受信対象の放送局から送信される電波の受信状態に応じて変更する、
受信装置。
【請求項２】
前記放送局から送信される電波は、テレビジョン放送波であり、
前記ゲイン調整手段は、受信対象の放送局から送信される電波の受信状態に応じてユーザが実行する、前記フィードバック制御において信号強度を参照する電波の信号の帯域幅の変更操作を受け付けると、該フィードバック制御において信号強度を参照する電波の信号の帯域幅を変更する、
請求項１に記載の受信装置。
【請求項３】
前記放送波は、デジタル方式のテレビジョン放送波であり、
前記ゲイン調整手段は、受信中の放送局の電波の信号のエラーレートが増加すると、前記フィードバック制御において信号強度を参照する電波の信号の帯域幅を変更する、
請求項１または２に記載の受信装置。
【請求項４】
前記ゲイン調整手段は、受信対象の放送局から送信される電波の信号の強さが弱くなると、前記フィードバック制御において信号強度を参照する電波の信号の帯域幅を狭くする、
請求項１から３の何れか一項に記載の受信装置。
【請求項５】
放送局から送信される電波の信号を増幅する増幅手段のゲインを調整するゲイン調整装置であって、
前記増幅手段で増幅された電波の信号のうち、受信対象の放送局の周波数を含む一定帯域幅の周波数の電波の信号が、既定の信号強度になるように該増幅手段のゲインをフィードバック制御により調整するゲイン調整手段を備え、
前記ゲイン調整手段は、前記フィードバック制御において信号強度を参照する電波の信号の帯域幅を、受信対象の放送局から送信される電波の受信状態に応じて変更する、
ゲイン調整装置。
【発明の詳細な説明】
【技術分野】
【０００１】
本発明は、受信装置、及びゲイン調整装置に関する。
【背景技術】
【０００２】
テレビジョン放送やラジオ放送のコンテンツは、放送局から無線送信される放送波を受信することで視聴されている。アンテナで受信した電波の信号は微弱なため、コンテンツを再現する際は、電波の信号に増幅処理が施される。
【０００３】
放送波の信号を増幅する場合は、増幅回路から出力される信号の強度が所望の強度になるように、増幅回路のゲインが調整される。ここで、放送波の信号の強度は、放送局からの距離や障害物、気象等の影響により絶えず変動している。よって、増幅回路のゲインは、通常、フィードバック制御により絶えず調整される。（例えば、特許文献１を参照）。
【特許文献１】特開２００５−３１８３４９号公報
【発明の開示】
【発明が解決しようとする課題】
【０００４】
アンテナが受信した電波には、受信する放送局からの電波の他に、様々な局からの電波が含まれている。そこで、放送波の信号をフィードバック制御で増幅する場合には、受信する放送局の信号の強度が所望の強度になるようにするため、受信する放送局の周波数付近の帯域の電波の信号強度を監視し、これが既定の制御目標値になるように増幅回路のゲインを調整する。
【０００５】
ここで、フィードバック制御に際して参照する電波の帯域幅が一定の場合、近隣の放送局から送信される妨害波の影響により増幅回路のゲインが変動した場合に、受信したい放送局から送信される電波が十分に増幅されなくなる虞がある。本発明は、このような問題に鑑みてなされたものであり、妨害波がある場合でも受信する放送局の電波を十分に増幅可能にする受信装置、及びゲイン調整装置を提供することを課題とする。
【課題を解決するための手段】
【０００６】
本発明は、上記課題を解決するため、フィードバック制御により電波の信号を増幅するに際し、信号強度を参照する電波の信号の帯域幅を、受信対象の放送局から送信される電波の信号の強さに応じて変更する。
【０００７】
詳細には、放送局から送信される電波を受信する受信装置であって、アンテナが受信した電波の信号を増幅する増幅手段と、前記増幅手段で増幅された電波の信号のうち、受信対象の放送局の周波数を含む一定帯域幅の周波数の電波の信号が、既定の信号強度になるように該増幅手段のゲインをフィードバック制御により調整するゲイン調整手段と、を備え、前記ゲイン調整手段は、前記フィードバック制御において信号強度を参照する電波の信号の帯域幅を、受信対象の放送局から送信される電波の受信状態に応じて変更する。
【０００８】
アンテナが受信する電波には波長の長いものから短いものまで、あらゆる周波数の電波が理論上含まれる。受信した電波の信号を増幅するには、増幅手段から出力される受信対象の周波数の電波の信号強度が、既定の強度になるようにフィードバック制御される。このとき信号強度を参照する電波の周波数は、ノイズ等の影響により増幅手段における制御が不安定になるのを防ぐため、ある一定の帯域幅を参照するように構成される。
【０００９】
ここで、フィードバック制御のために信号強度を参照する電波の帯域幅は、その幅が狭
いと受信対象の放送局から送信される電波の信号の変化を速やかに検知できる反面、ノイズ等の電気的な外乱による影響を受けやすい。他方、参照する電波の帯域幅が広いと、外乱による影響を受けにくい反面、受信対象の放送局から送信される電波が弱く且つ近隣に妨害波があるような場合に、十分なゲインが確保されない。このように相反する両方の特性を生かすため、上記受信装置では、フィードバック制御において信号強度を参照する電波の信号の帯域幅を変更可能にする。帯域幅の変更は、受信対象の放送局から送信される電波の受信状態に応じて行われるものとし、例えば、ユーザ操作や様々な判別処理により実行せしめることが可能であるが、少なくとも受信対象の放送局から送信される電波の受信状態が良好になるように実行されることが肝要である。
【００１０】
以上、このように構成される受信装置によれば、妨害波がある場合でも受信する放送局の電波を十分に増幅することが可能である。
【００１１】
また、前記放送局から送信される電波は、テレビジョン放送波であり、前記ゲイン調整手段は、受信対象の放送局から送信される電波の受信状態に応じてユーザが実行する、前記フィードバック制御において信号強度を参照する電波の信号の帯域幅の変更操作を受け付けると、該フィードバック制御において信号強度を参照する電波の信号の帯域幅を変更するものであってもよい。テレビジョン放送であれば、映像の乱れ等により受信状態の良否がすぐに判る。このため、ユーザの直感的な操作により、フィードバック制御において信号強度を参照する電波の信号の帯域幅が適切に変更される。
【００１２】
また、前記放送波は、デジタル方式のテレビジョン放送波であり、前記ゲイン調整手段は、受信中の放送局の電波の信号のエラーレートが増加すると、前記フィードバック制御において信号強度を参照する電波の信号の帯域幅を変更するものであってもよい。デジタル方式の信号の場合、エラーレートにより受信状態を検知することができる。そこで、デジタル信号を復号化する際に一般的に用いられるエラーレートを、上記フィードバック制御において参照する電波の信号の帯域幅の変更処理に用いることにより、変更処理を容易且つ的確に実現することが可能である。
【００１３】
また、前記ゲイン調整手段は、受信対象の放送局から送信される電波の信号の強さが弱くなると、前記フィードバック制御において信号強度を参照する電波の信号の帯域幅を狭くするものであってもよい。受信対象の放送局から送信される電波の信号が弱い場合に、信号強度を参照する電波の信号の帯域幅を狭くするようにすれば、近隣に妨害波があるような場合に十分なゲインが確保されるようになる。このため、一時的な外乱による受信品質の低下の改善よりも、定常的な弱電界による受信品質の低下の改善が優先されるので、妨害波がある場合に受信する放送局の電波を十分に増幅することが可能である。
【００１４】
なお、本発明は、ゲイン調整装置としての側面からも捉えることが可能である。例えば、本発明は、放送局から送信される電波の信号を増幅する増幅手段のゲインを調整するゲイン調整装置であって、前記増幅手段で増幅された電波の信号のうち、受信対象の放送局の周波数を含む一定帯域幅の周波数の電波の信号が、既定の信号強度になるように該増幅手段のゲインをフィードバック制御により調整するゲイン調整手段を備え、前記ゲイン調整手段は、前記フィードバック制御において信号強度を参照する電波の信号の帯域幅を、受信対象の放送局から送信される電波の受信状態に応じて変更するものであってもよい。
【発明の効果】
【００１５】
妨害波がある場合でも受信する放送局の電波を十分に増幅可能にする受信装置、及びゲイン調整装置を提供することを課題とする。
【発明を実施するための最良の形態】
【００１６】
以下、この発明を実施するための最良の形態を例示的に説明する。以下に示す実施形態は例示であり、本発明はこれらに限定されない。
【００１７】
図１は、本発明に係る受信装置の一実施形態であるレシーバ１（本発明でいう、受信装置に相当する）の構成図である。レシーバ１は、図１に示すように、ＲＦ（Radio Frequency）ユニット２とデコーダ３とを備える。レシーバ１は、カーナビゲーション装置に内
蔵されることを前提に説明するが、レシーバ１をカーナビゲーション装置の本体と外部接続する機器として用いることも可能である。ＲＦユニット２は、主に選局と放送波の増幅処理を司るものであり、回路を集積した半導体で構成されている。図１に示すように、アンプ４Ａ，Ｂ（アンプ４Ａは、本発明でいう増幅手段に相当する）、同調回路５、ミキサ６、フィルタ７Ａ，Ｂ、自動利得調整回路８（本発明でいう、ゲイン調整手段およびゲイン調整装置に相当する）、発振回路９、及びＰＬＬ（Phase-locked loop）回路１０を備
える。また、デコーダ３は、レシーバモジュールが受信した地上デジタルテレビジョン放送のデジタル信号波を復号するものであり、復号した映像信号や音声信号を図示しないテレビ画面やスピーカへ出力する。
【００１８】
アンプ４Ａは、図示しないアンテナからの信号をフィードバック制御で増幅し、増幅した信号を同調回路５へ送る増幅回路である。アンプ４Ａは、雑音特性に優れる低雑音アンプであり、アンテナで受信された電波の信号を、電波のノイズに埋もれさせること無く増幅可能である。
【００１９】
同調回路５は、受信する放送局の周波数帯域の信号を通過させ、帯域外の信号を排除する共振回路である。同調回路５は、ＰＬＬ回路１０からの信号とアンプ４Ａからの信号とを共振させることで、所望の放送局の周波数帯域の信号のみを通過させる。なお、ＰＬＬ回路１０は、ユーザの選局操作により発振周波数が任意に変わる発振回路である。
【００２０】
ミキサ６は、同調回路５からの信号と発振回路９からの信号を混合する回路であり、発振回路９と協働することで同調回路５からの信号をその周波数に関係なく一定の周波数に変換する周波数変換器としての役割を司る。受信する放送局からの信号が、電波の周波数に関係なく一定の周波数の信号となるため、後段のフィルタやアンプ４Ｂにおける処理が容易になる。なお、発振回路９は、一定周波数の信号を発信する回路である。
【００２１】
フィルタ７Ａは、中間周波数を５７１ｋＨｚとし、通過帯域幅を４３０ｋＨｚとする帯域フィルタであり、１チャンネルあたり６ＭＨｚの帯域幅を有する地上デジタルテレビジョン放送を１３個に分割したうちの１セグメント、換言すると４３０ｋＨｚの帯域幅の信号を通過可能にする。これにより、受信中の放送局から送られる１３セグメントの信号のうちの１セグメント分の信号がアンプ４Ｂへ送られる。なお、中間周波数を５７１ｋＨｚとしているのは、コイル等で構成されるチューナよりも耐振動特性に優れるシリコンのＩＣ（集積回路）でチューナを構成しているためである。
【００２２】
アンプ４Ｂは、フィルタ７Ａを通過した信号を、後段のデコーダ３で復調可能な程度にまで増幅する増幅回路である。すなわち、アンプ４Ｂから出力される信号は、いわゆるＩＦ（Intermediate Frequency）信号である。なお、アンプ４Ｂの増幅率は、デコーダ３の図示しない自動利得調整回路から出力される制御信号により調整される。従って、後段のデコーダ３には、アンプ４Ｂによって強度が一定になるように調整された信号が入力されることとなる。
【００２３】
フィルタ７Ｂは、ミキサ６とフィルタ７Ａとの間から分岐する線を入力側とし、ミキサ６から出力された信号をフィルタリングし、自動利得調整回路８へ送る。フィルタ７Ｂは、通過帯域幅を任意に設定可能なバンドパスフィルタである。フィルタ７Ｂの通過帯域幅
は、ＲＦユニット２のレジスタ値を変えることにより段階的に設定可能である。通過帯域幅を設定するためのレジスタは２ビットであり、４通りの通過帯域幅（１４，１７，７５，１２０ＭＨｚ）が設定可能なように構成されている。フィルタ７Ｂの通過帯域幅のレジスタ値は、レシーバ１を内蔵するカーナビゲーション装置に設けられた図示しない切り替えスイッチにより任意に切り替えられる。なお、フィルタ７Ｂの通過帯域幅は、広域と狭域の２種類を選択可能にしておけば十分であるため、切り替えスイッチには広域（１２０ＭＨｚ）と狭域（１４ＭＨｚ）の２つを用意するものとする。
【００２４】
自動利得調整回路８は、アンプ４Ａから出力される信号の強度が一定になるようにアンプ４Ａの増幅率を調整する回路である。具体的には、フィルタ７Ｂを通過した信号の強度と予め設定された既定の信号強度とを比較し、両者に差がある場合にその差を埋めるべく、アンプ４Ａに対して増幅率を増減させるための制御信号を出力する。すなわち、アンプ４Ａにおける増幅率をフィードバック制御させる。
【００２５】
上記レシーバ１の使用方法は、次の通りである。すなわち、上記レシーバ１により受信されたテレビジョン放送を視聴中のユーザが、テレビ画面の映像に乱れ等を認めた場合、カーナビゲーション装置に設けられた上述の図示しない切り替えスイッチにより、レシーバ１のフィルタ７Ｂのレジスタ値を適宜切り替える。切り替え操作時は、テレビ画面の映像が正常に映る方を選択する。
【００２６】
フィルタ７Ｂの通過帯域幅を切り替え可能とした上記レシーバ１の効果について、実証実験の結果を基に検証する。図２は、上記レシーバ１を実験したエリアの地図である。本実験は、テレビジョン放送波を送信する送信所の位置関係が互いに異なる２箇所の地域をモデルに、受信状態を実験したものである。これら２箇所の地域では、地上デジタルテレビジョン放送の電波が、図２に示すように送信所Ａと送信所Ｂの２箇所から送信されている。なお、これら２箇所の地域のうち一方を以下、Ａ地域とし、他方をＢ地域と呼ぶことにする。送信所Ａは、Ａ地域およびＢ地域の両方から遠い場所に設けられている。また、送信所Ｂは、Ａ地域およびＢ地域の両方から近い場所に設けられている。各送信所が送信する地上デジタルテレビジョン放送のチャンネルを以下の表に示す。
【表１】
2010147867.tif 000003
【００２７】
表１に示すように、ほとんどのチャンネルはＡ地域およびＢ地域の両方から遠い送信所Ａから送信されているが、チャンネル２２はＡ地域およびＢ地域の両方から近い送信所Ｂから送信されている。よって、Ａ地域およびＢ地域では、チャンネル２２の電波がその他のチャンネルの電波よりも相対的に強く受信される傾向がある。
【００２８】
図３は、Ａ地域およびＢ地域に届く各チャンネルの電波の強度を図示したグラフである
。上述したようにＡ地域およびＢ地域ではチャンネル２２の電波が送信所Ｂから送信され、その他のチャンネルが送信所Ａから送信されているため、図３に示すように、チャンネル２２の電波の強度がその他のチャンネルの電波の強度よりも強くなっている。
【００２９】
ここで、地上デジタルテレビジョン放送の放送波の構成を説明する。図４は、特定のチャンネルの放送波を拡大したグラフである。横軸が周波数であり、縦軸が電波強度である。図４のグラフに示すように、地上デジタルテレビジョン放送波は、１チャンネルあたりの帯域幅が６ＭＨｚとされており、４７０ＭＨｚから７７０ＭＨｚまで、５０チャンネル分（３００ＭＨｚ）の帯域幅が割り当てられている。そして、１チャンネルあたりの内訳は、１３セグメント分の有効帯域と、隣接チャンネルとの混信を防ぐサイドバンドとに分けられる。ワンセグ（登録商標）を受信するという場合、１３セグメントのうちの中心にある帯域（図４の符号Ａ）の電波を受信することになる。
【００３０】
ここで、フィルタ７Ｂの通過帯域幅と上記各チャンネルの帯域との相関について説明する。図５は、フィルタ７Ｂの通過帯域幅と各チャンネルの帯域との相関の一例を示すグラフである。レシーバ１の受信チャンネルが例えば１８ｃｈの時に、フィルタ７Ｂの通過帯域幅が広域（１２０ＭＨｚ）に設定されている場合、受信中のチャンネルを含む約２０チャンネル分の電波がフィルタ７Ｂを通過することになるため、送信所Ａからの電波のみならず、送信所Ｂからの電波（すなわち、チャンネル２２の電波）についてもフィルタ７Ｂを通過することになる。一方、フィルタ７Ｂの通過帯域幅が狭域（１４ＭＨｚ）に設定されている場合、受信中のチャンネルとその近傍のチャンネルの電波しかフィルタ７Ｂを通過しないことになるため、送信所Ａからの電波のみが通過することになる。換言すると、送信所Ｂからの電波であるチャンネル２２の電波が通過しないことになる。
【００３１】
上記レシーバ１では、フィルタ７Ｂを通過した信号に基づいて自動利得調整回路８で生成される制御信号により、アンプ４Ａが増幅率を調整しているため、次のような現象が生ずる。すなわち、フィルタ７Ｂの通過帯域幅が広域に設定されている場合、約２０チャンネル分の電波の信号が通過したフィルタ７Ｂからの信号に基づいて自動利得調整回路８による制御信号が生成され、アンプ４の増幅率が調整される。このため、遠くの送信所Ａからの放送波を受信して視聴したいような場合、図５に示すように、近くの送信所Ｂからの放送波（チャンネル２２）の電波強度が強いと、アンプ４Ａの増幅率が低くなり、遠くの送信所Ａからの放送波が十分に増幅されない。この結果、送信所Ａからの放送が受信しにくくなるという現象が生じ得る。この場合は、フィルタ７Ｂの通過帯域幅を狭域に設定することにより、送信所Ａからの放送波がアンプ４Ａによって十分に増幅され、送信所Ａからの放送が受信できるようになる。
【００３２】
ただし、フィルタ７Ｂの通過帯域幅を狭域に設定している場合、市街地のように電気的なノイズが多く発生するエリアでは、ノイズの侵入により自動利得調整回路８が生成する制御信号への影響が、フィルタ７Ｂの通過帯域幅を広域に設定している場合に比べて相対的に大きくなる。このため、フィルタ７Ｂの通過帯域幅を狭域に設定している場合には、市街地等、ノイズが多く発生するエリアにおいて、ノイズの侵入により増幅率が異常に低く制御され、放送波を受信しにくくなるという現象が生じ得る。この場合は、フィルタ７Ｂの通過帯域幅を広域に設定することにより、各送信所からの放送波がアンプ４Ａによって十分に増幅され、放送が正常に受信できるようになる。
【００３３】
図６Ａは、送信所Ｂが近くにあり、送信所Ａが遠くにあるＡ地域およびＢ地域のうち、市街地にあるような電気的ノイズの影響を比較的受けにくい地域のモデルであるＡ地域において、上記レシーバ１を搭載した車両で走行しながら、送信所Ａから送信される第１３チャンネルの電波を受信する場合の、受信可否の箇所を示した図である。フィルタ７Ｂを広域にしている場合、図６Ａに示すように、実験した走行経路のうち受信可能だった経路
の割合（以下、受信率という）は、７８．４３％であった。これに対し、フィルタ７Ｂを狭域にしている場合、受信率は９１．２６％と良好な結果が得られた。図６Ｂは、第１６チャンネルの電波を受信する場合の、受信可否の箇所を示した図である。第１６チャンネルについても、第１３チャンネルと同様、フィルタ７Ｂが広域の場合に受信率９１．５５％の所、狭域の場合は９１．６７％と良好な結果が得られた。Ａ地域は、山に囲まれており、送信所Ａからの電波が弱い。しかし、フィルタ７Ｂの通過帯域幅を狭域に切り替えることで、広域の場合よりも良好な受信状態にすることができる。
【００３４】
図７Ａは、送信所Ｂが近くにあり、送信所Ａが遠くにあるエリアのうち、電気的ノイズの影響を受けやすい市街地のモデルであるＢ地域において、上記レシーバ１を搭載した車両で走行しながら、送信所Ａから送信される第１３チャンネルの電波を受信する場合の、受信可否の箇所を示した図である。フィルタ７Ｂを狭域にしている場合、図７Ａに示すように、実験した走行経路のうち受信可能だった経路の割合（以下、受信率という）は、４５．２０％であった。これに対し、フィルタ７Ｂを広域にしている場合、受信率は９６．７０％と良好な結果が得られた。図７Ｂは、第１８チャンネルの電波を受信する場合の、受信可否の箇所を示した図である。第１８チャンネルについても、第１３チャンネルと同様、フィルタ７Ｂが狭域の場合に受信率６０．１７％の所、広域の場合は８３．８５％と良好な結果が得られた。Ｂ地域は、市街地ゆえに電気的なノイズが多いため、送信所Ａからの電波が相対的に弱くなりやすい。しかし、フィルタ７Ｂの通過帯域幅を広域に切り替えることで、狭域の場合よりも良好な受信状態にすることができる。
【００３５】
上記レシーバ１であれば、フィルタ７Ｂの通過帯域幅を選択可能であるため、ユーザは、テレビ画面がより良く映る側に適宜切り替えることにより、テレビジョン放送を良好に受信することができるようになることが上述の実験結果からも判る。なお、上記実施形態では、フィルタ７Ｂの通過帯域幅をユーザが任意に切り替えるように構成しているが、以下のように変形してもよい。
【００３６】
変形例としては、例えば、受信中の地上デジタル放送の信号のエラーレートを取得し、エラーレートが最も小さくなる通過帯域幅をレシーバモジュールが自動的に決定するものを例示することができる。図８は、本変形例に係るレシーバ１１の構成図である。図８に示すように、本変形例に係るレシーバ１１は、フィルタ７Ｂの通過帯域幅が切替制御部１２により制御されるように構成されている。切替制御部１２は、デコーダ３から出力されるエラーレートの信号が入力されるように構成されており、入力されるエラーレートが最も小さくなるようにフィルタ７Ｂの通過帯域幅を切り替える。エラーレートとは、地上デジタル放送のデータの欠損等の誤り率であり、エラービット数を送信ビット数で除算することにより得られるものであり、デコーダ３が算出して出力するパラメータである。
【００３７】
図９は、切替制御部１２が実行する切替制御の制御フロー図である。切替制御部１２は、まず、各通過帯域幅について実際に受信を行い、デコーダ３から出力されるエラーレートを逐次確認する。すなわち、切替制御部１２は、フィルタ７Ｂの通過帯域幅をまず狭域に設定し（Ｓ１０１）、このときデコーダ３から送られるエラーレートを図示しないメモリに格納する（Ｓ１０２）。次に、切替制御部１２は、フィルタ７Ｂの通過帯域幅を広域に設定し（Ｓ１０３）、このときデコーダ３から送られるエラーレートをメモリに格納する（Ｓ１０４）。次に、切替制御部１２は、メモリに格納した各エラーレートを比較する（Ｓ１０５）。広域の場合のエラーレートが、狭域の場合のエラーレートよりも小さい場合、切替制御部１２は、一連の切替制御を終了する。すなわち、フィルタ７Ｂの通過帯域幅は広域に設定されたままの状態となる。一方、狭域の場合のエラーレートが、広域の場合のエラーレートよりも小さい場合、切替制御部１２は、フィルタ７Ｂの通過帯域幅を狭域に設定する（Ｓ１０６）。
【００３８】
上記変形例によれば、エラーレートが最も小さくなるようにフィルタ７Ｂの通過帯域幅が自動的に切り替えられるため、ユーザ操作無しで最適な映像を表示することが可能となる。なお、切替制御部１２が実行する切替制御は、フィルタ７Ｂが選択可能な通過帯域幅の選択可能数に応じて適宜実行する。フィルタ７Ｂには４種類の通過帯域幅が用意されているため、切替制御部１２は、例えば、上記ステップＳ１０１からステップＳ１０４までの処理を４つの帯域幅についてそれぞれ実行するようにしてもよい。また、フィルタ７Ｂの通過帯域幅が無段階に調整可能なものであれば、エラーレートが最も小さくなるように切替制御部１２がフィードバック制御を行っても良い。
【００３９】
その他の変形例としては、例えば、位置情報に基づき、フィルタ７Ｂの通過帯域幅を自動的に切り替えるものを例示できる。この場合、上記レシーバ１を内蔵するカーナビゲーション装置に、選択すべき最適なフィルタ７Ｂの通過帯域幅と、車両の位置との関係を定義したマップを格納しておく。そして、カーナビゲーション装置の演算処理部によって算出される、自車位置とマップとの関係から決定されるフィルタ７Ｂの最適な通過帯域幅の情報に基づき、フィルタ７Ｂの通過帯域幅が適宜選択されるようにする。なお、このマップは、最適な通過帯域幅と自車位置との関係を予め実験的に求めたものを定義するものであっても良いし、ユーザが選択する通過帯域幅を学習し、選択頻度が高いものが優先されるように通過帯域幅と自車位置との関係を定義するものであってもよい。
【００４０】
フィルタ７Ｂの通過帯域幅がレシーバモジュールの所在地の情報に応じて適宜選択されるようにすることで、上記実施形態のようなユーザ操作や上記変形例のような通過帯域幅の切替処理（例えばＳ１０１〜Ｓ１０４）が不要となり、ユーザに負担を与えることなく、最適な受信状態にすることが可能となる。
【図面の簡単な説明】
【００４１】
【図１】レシーバモジュールの構成図。
【図２】レシーバモジュールを実験したエリアの地図。
【図３】各チャンネルの電波の強度を図示したグラフ。
【図４】特定のチャンネルの放送波を拡大したグラフ。
【図５】フィルタの通過帯域幅と各チャンネルの帯域との相関の一例を示すグラフ。
【図６Ａ】受信可否の箇所を示した図（Ａ地域の場合）。
【図６Ｂ】受信可否の箇所を示した図（Ａ地域の場合）。
【図７Ａ】受信可否の箇所を示した図（Ｂ地域の場合）。
【図７Ｂ】受信可否の箇所を示した図（Ｂ地域の場合）。
【図８】変形例に係るレシーバモジュールの構成図。
【図９】切替制御部が実行する切替制御の制御フロー図。
【符号の説明】
【００４２】
１，１１・・レシーバ
２・・ＲＦユニット
３・・デコーダ
４Ａ，４Ｂ・・アンプ
５・・同調回路
６・・ミキサ
７Ａ，７Ｂ・・フィルタ
８・・自動利得調整回路
９・・発振回路
１０・・ＰＬＬ回路
１２・・切替制御部
【図１】
2010147867.tif 000004
【図２】
2010147867.tif 000005
【図３】
2010147867.tif 000006
【図４】
2010147867.tif 000007
【図５】
2010147867.tif 000008
【図６Ａ】
2010147867.tif 000009
【図６Ｂ】
2010147867.tif 000010
【図７Ａ】
2010147867.tif 000011
【図７Ｂ】
2010147867.tif 000012
【図８】
2010147867.tif 000013
【図９】
2010147867.tif 000014